(57)【要約】      （修正有）【課題】他人が成りすまして使用することの困難な身分証明書を利用可能にする身分証明書表示システムを提供する。【解決手段】身分証明書表示システムは、個人識別情報をサーバ２０へ送信し、サーバから個人識別情報に対応する身分情報を取得する身分情報取得部１３、サーバから個人識別情報に対応する多次元コード情報を取得する多次元コード取得部１４並びに身分情報及び多次元コード情報にもとづく多次元コードを含む身分証明書を表示する身分証明書表示部１５を有する携帯端末１０と、携帯端末から送信されてきた個人識別情報にもとづき認証処理を行う個人認証処理部２２、個人認証処理部による認証結果が認証成功である場合、個人識別情報に対応する身分情報を携帯端末に送信する身分情報送信部２３及び個人識別情報に対応する多次元コード情報を一定のタイミング毎に生成して、携帯端末に送信する多次元コード生成部２４を有するサーバを備える。【選択図】図１
2020013384.tif 000002
【特許請求の範囲】
【請求項１】
携帯端末に身分証明書を表示させる身分証明書表示システムであって、
個人識別情報をサーバへ送信し、前記サーバから個人識別情報に対応する身分情報を取得する身分情報取得部、
前記サーバから前記個人識別情報に対応する多次元コード情報を取得する多次元コード取得部、並びに、
前記身分情報、及び前記多次元コード情報にもとづく多次元コードを含む身分証明書を表示する身分証明書表示部、
を有する携帯端末と、
前記携帯端末から送信されてきた前記個人識別情報にもとづき認証処理を行う個人認証処理部、
前記個人認証処理部による認証結果が認証成功である場合、前記個人識別情報に対応する前記身分情報を前記携帯端末に送信する身分情報送信部、及び、
前記個人識別情報に対応する前記多次元コード情報を一定のタイミング毎に生成して、前記携帯端末に送信する多次元コード生成部、
を有するサーバと、を備えた
ことを特徴とする身分証明書表示システム。
【請求項２】
前記携帯端末に表示された前記多次元コード情報を読み取って、前記多次元コード情報を前記サーバへ送信する多次元コードリーダを備え、
前記サーバが、
前記多次元コードリーダから送信されてきた前記多次元コード情報にもとづいて、多次元コードの認証処理を行い、認証結果を前記多次元コードリーダ側へ送信するコード認証処理部を有する
ことを特徴とする請求項１記載の身分証明書表示システム。
【請求項３】
前記サーバにおける前記コード認証処理部による多次元コードの認証処理は、前記多次元コードリーダから送信されてきた前記多次元コード情報が、多次元コード生成部により一定のタイミング毎に生成された前記多次元コード情報に一致するか否かにもとづき行われる
ことを特徴とする請求項１又は２記載の身分証明書表示システム。
【請求項４】
前記サーバにおける前記個人認証処理部が、前記個人識別情報にもとづいて、一定のタイミング毎に認証処理を行い、認証結果が認証失敗である場合、認証結果を前記携帯端末へ送信し、
前記携帯端末における前記身分証明書表示部が、身分証明書の表示を停止する
ことを特徴とする請求項１〜３のいずれかに記載の身分証明書表示システム。
【請求項５】
身分証明書を表示する携帯端末であって、
個人識別情報をサーバへ送信し、前記サーバにより前記個人識別情報にもとづき認証処理が行われた後、認証結果が認証成功である場合、前記サーバから個人識別情報に対応する身分情報を取得する身分情報取得部と、
前記サーバから前記個人識別情報に対応する多次元コード情報を一定のタイミング毎に取得する多次元コード取得部と、
前記身分情報、及び前記多次元コード情報にもとづく多次元コードを含む身分証明書を表示する身分証明書表示部と、を有する
ことを特徴とする携帯端末。
【請求項６】
携帯端末に身分証明書を表示させるサーバであって、
前記携帯端末から送信されてきた個人識別情報にもとづき認証処理を行う個人認証処理部と、
前記個人認証処理部による認証結果が認証成功である場合、前記個人識別情報に対応する前記身分情報を前記携帯端末に送信する身分情報送信部と、
前記個人識別情報に対応する前記多次元コード情報を一定のタイミング毎に生成して、前記携帯端末に送信する多次元コード生成部と、を有し、
前記携帯端末により、前記多次元コード情報にもとづいて、前記身分情報、及び多次元コードを含む身分証明書を表示させる
ことを特徴とするサーバ。
【請求項７】
前記サーバが、
前記携帯端末に表示された前記多次元コード情報を多次元コードリーダにより読み取って送信されてきた当該多次元コード情報にもとづいて、多次元コードの認証処理を行い、認証結果を前記多次元コードリーダ側へ送信するコード認証処理部を有する
ことを特徴とする請求項６記載のサーバ。
【請求項８】
携帯端末に身分証明書を表示させる端末側身分証明書表示プログラムであって、
前記携帯端末を、
個人識別情報をサーバへ送信し、前記サーバから個人識別情報に対応する身分情報を取得する身分情報取得部、
前記サーバから前記個人識別情報に対応する多次元コード情報を取得する多次元コード取得部、並びに、
前記身分情報、及び前記多次元コード情報にもとづく多次元コードを含む身分証明書を表示する身分証明書表示部、として機能させる
ことを特徴とする端末側身分証明書表示プログラム。
【請求項９】
携帯端末に身分証明書を表示させるサーバ側身分証明書表示プログラムであって、
サーバを、
前記携帯端末から送信されてきた前記個人識別情報にもとづき認証処理を行う個人認証処理部、
前記個人認証処理部による認証結果が認証成功である場合、前記個人識別情報に対応する前記身分情報を前記携帯端末に送信する身分情報送信部、
前記個人識別情報に対応する前記多次元コード情報を一定のタイミング毎に生成して、前記携帯端末に送信する多次元コード生成部、及び、
前記携帯端末に表示された前記多次元コード情報を多次元コードリーダにより読み取って送信されてきた当該多次元コード情報にもとづいて、多次元コードの認証処理を行い、認証結果を前記多次元コードリーダ側へ送信するコード認証処理部、として機能させる
ことを特徴とするサーバ側身分証明書表示プログラム。
【請求項１０】
携帯端末に身分証明書を表示させる身分証明書表方法であって、
前記携帯端末における身分情報取得部が、個人識別情報をサーバへ送信し、前記サーバにより前記個人識別情報にもとづき認証処理が行われた後、認証結果が認証成功である場合、前記サーバから個人識別情報に対応する身分情報を取得し、
前記携帯端末における多次元コード取得部が、前記サーバから前記個人識別情報に対応する多次元コード情報を取得し、
前記携帯端末における身分証明書表示部が、前記身分情報、及び前記多次元コード情報にもとづく多次元コードを含む身分証明書を表示する
ことを特徴とする身分証明書表示方法。
【請求項１１】
携帯端末に身分証明書を表示させる身分証明書表方法であって、
サーバにおける個人認証処理部が、前記携帯端末から送信されてきた前記個人識別情報にもとづき認証処理を行い、
前記サーバにおける身分情報送信部が、前記個人認証処理部による認証結果が認証成功である場合、前記個人識別情報に対応する前記身分情報を前記携帯端末に送信し、
前記サーバにおける多次元コード生成部が、前記個人識別情報に対応する前記多次元コード情報を一定のタイミング毎に生成して、前記携帯端末に送信し、
前記サーバにおけるコード認証処理部が、前記携帯端末に表示された前記多次元コード情報を多次元コードリーダにより読み取って送信されてきた当該多次元コード情報にもとづいて、多次元コードの認証処理を行い、認証結果を前記多次元コードリーダ側へ送信する
ことを特徴とする身分証明書表示方法。
【発明の詳細な説明】
【技術分野】
【０００１】
本発明は、セキュリティ技術に関し、特に成りすまして使用することを防止するための身分証明書を表示するシステムに関する。
【背景技術】
【０００２】
社員証や学生証などの各種の身分証明書（ＩＤカード等）は、一般的に、紙に印刷を施すことによって作製されている。このような紙で作製された身分証明書は、容易に偽造することができる。また、会社を退職したり、学校を卒業したりしても、身分証明書を返却せずにそのまま持ち続けることにより、その組織の人間であることを詐称して使用される虞があった。
【０００３】
また、近年、ＩＣチップなどを埋め込んだカードが身分証明書として用いられている。しかし、このような身分証明書でも、カード自体は印刷されたものであり、ＩＣチップの内容を確認しなければ本物かどうかを確認することができない。このため、やはり組織外の人がカードを使用することによって、その組織の人間であると思わせることが可能になってしまうという問題があった。
【０００４】
【特許文献１】特開２００７−７９８３４号公報
【特許文献２】特開２０１６−１０５２６１号公報
【発明の概要】
【発明が解決しようとする課題】
【０００５】
身分証明書に関連する技術としては、特許文献１に記載のデータ管理システムや、特許文献２に記載の勤怠監視装置を挙げることができる。
特許文献１に記載のデータ管理システムでは、メモリを備えたＩＣチップとリライタブル表示領域を有する許可証が用いられており、この許可証では、ＩＣチップとリライタブル表示領域の情報を書き換えることで、使用済みのものを再利用することが可能になっている。
また、特許文献２に記載の勤怠監視装置では、ＱＲコード（登録商標）が印刷された社員証が用いられ、そのコードを認識することにより、本人認証が行われるようになっている。
【０００６】
しかしながら、この許可証では、ＩＣチップの内容を確認しなければ、成りすましを防止することができない。また、この社員証では、他人が成りすまして使用しても本人認証自体は、成功させることができる。
このような状況において、身分証明書のセキュリティ性をさらに向上させることが、望まれていた。
【０００７】
本発明は、上記の事情にかんがみなされたものであり、他人が成りすまして使用することの困難な身分証明書を利用可能にする身分証明書表示システム、携帯端末、サーバ、端末側身分証明書表示プログラム、サーバ側身分証明書表示プログラム、及び身分証明書表示方法の提供を目的とする。
【課題を解決するための手段】
【０００８】
上記目的を達成するため、本発明の身分証明書表示システムは、携帯端末に身分証明書を表示させる身分証明書表示システムであって、個人識別情報をサーバへ送信し、前記サーバから個人識別情報に対応する身分情報を取得する身分情報取得部、前記サーバから前記個人識別情報に対応する多次元コード情報を取得する多次元コード取得部、並びに、前記身分情報、及び前記多次元コード情報にもとづく多次元コードを含む身分証明書を表示する身分証明書表示部を有する携帯端末と、前記携帯端末から送信されてきた前記個人識別情報にもとづき認証処理を行う個人認証処理部、前記個人認証処理部による認証結果が認証成功である場合、前記個人識別情報に対応する前記身分情報を前記携帯端末に送信する身分情報送信部、及び、前記個人識別情報に対応する前記多次元コード情報を一定のタイミング毎に生成して、前記携帯端末に送信する多次元コード生成部を有するサーバとを備えた構成としてある。
【０００９】
また、本発明の携帯端末は、身分証明書を表示する携帯端末であって、個人識別情報をサーバへ送信し、前記サーバにより前記個人識別情報にもとづき認証処理が行われた後、認証結果が認証成功である場合、前記サーバから個人識別情報に対応する身分情報を取得する身分情報取得部と、前記サーバから前記個人識別情報に対応する多次元コード情報を一定のタイミング毎に取得する多次元コード取得部と、前記身分情報、及び前記多次元コード情報にもとづく多次元コードを含む身分証明書を表示する身分証明書表示部とを有する構成としてある。
【００１０】
また、本発明のサーバは、携帯端末に身分証明書を表示させるサーバであって、前記携帯端末から送信されてきた個人識別情報にもとづき認証処理を行う個人認証処理部と、前記個人認証処理部による認証結果が認証成功である場合、前記個人識別情報に対応する前記身分情報を前記携帯端末に送信する身分情報送信部と、前記個人識別情報に対応する前記多次元コード情報を一定のタイミング毎に生成して、前記携帯端末に送信する多次元コード生成部とを有し、前記携帯端末により、前記多次元コード情報にもとづいて、前記身分情報、及び多次元コードを含む身分証明書を表示させる構成としてある。
【００１１】
また、本発明の端末側身分証明書表示プログラムは、携帯端末に身分証明書を表示させる端末側身分証明書表示プログラムであって、前記携帯端末を、個人識別情報をサーバへ送信し、前記サーバから個人識別情報に対応する身分情報を取得する身分情報取得部、前記サーバから前記個人識別情報に対応する多次元コード情報を取得する多次元コード取得部、並びに、前記身分情報、及び前記多次元コード情報にもとづく多次元コードを含む身分証明書を表示する身分証明書表示部として機能させる構成としてある。
【００１２】
また、本発明のサーバ側身分証明書表示プログラムは、携帯端末に身分証明書を表示させるサーバ側身分証明書表示プログラムであって、サーバを、前記携帯端末から送信されてきた前記個人識別情報にもとづき認証処理を行う個人認証処理部、前記個人認証処理部による認証結果が認証成功である場合、前記個人識別情報に対応する前記身分情報を前記携帯端末に送信する身分情報送信部、前記個人識別情報に対応する前記多次元コード情報を一定のタイミング毎に生成して、前記携帯端末に送信する多次元コード生成部、及び、前記携帯端末に表示された前記多次元コード情報を多次元コードリーダにより読み取って送信されてきた当該多次元コード情報にもとづいて、多次元コードの認証処理を行い、認証結果を前記多次元コードリーダ側へ送信するコード認証処理部として機能させる構成としてある。
【００１３】
また、本発明の身分証明書表示方法は、携帯端末に身分証明書を表示させる身分証明書表方法であって、前記携帯端末における身分情報取得部が、個人識別情報をサーバへ送信し、前記サーバにより前記個人識別情報にもとづき認証処理が行われた後、認証結果が認証成功である場合、前記サーバから個人識別情報に対応する身分情報を取得し、前記携帯端末における多次元コード取得部が、前記サーバから前記個人識別情報に対応する多次元コード情報を取得し、前記携帯端末における身分証明書表示部が、前記身分情報、及び前記多次元コード情報にもとづく多次元コードを含む身分証明書を表示する方法としてある。
【００１４】
また、本発明の身分証明書表示方法は、携帯端末に身分証明書を表示させる身分証明書表方法であって、サーバにおける個人認証処理部が、前記携帯端末から送信されてきた前記個人識別情報にもとづき認証処理を行い、前記サーバにおける身分情報送信部が、前記個人認証処理部による認証結果が認証成功である場合、前記個人識別情報に対応する前記身分情報を前記携帯端末に送信し、前記サーバにおける多次元コード生成部が、前記個人識別情報に対応する前記多次元コード情報を一定のタイミング毎に生成して、前記携帯端末に送信し、前記サーバにおけるコード認証処理部が、前記携帯端末に表示された前記多次元コード情報を多次元コードリーダにより読み取って送信されてきた当該多次元コード情報にもとづいて、多次元コードの認証処理を行い、認証結果を前記多次元コードリーダ側へ送信する方法としてある。
【発明の効果】
【００１５】
本発明によれば、他人が成りすまして使用することの困難な身分証明書を利用可能にする身分証明書表示システム、携帯端末、サーバ、端末側身分証明書表示プログラム、サーバ側身分証明書表示プログラム、及び身分証明書表示方法の提供が可能となる。
【図面の簡単な説明】
【００１６】
【図１】本発明の一実施形態の身分証明書表示システムの構成を示すブロック図である。
【図２】本発明の一実施形態の身分証明書表示システムにより表示し得る個人認証画面（使用開始認証画面）を示す図である。
【図３】本発明の一実施形態の身分証明書表示システムにより表示し得る身分証明書を示す図である。
【図４】本発明の一実施形態の身分証明書表示システムにより表示し得る身分証明書におけるＱＲコードの変化を示す説明図である。
【図５】本発明の一実施形態の身分証明書表示システムにより表示し得る他の身分証明書を示す図である。
【図６】本発明の一実施形態の身分証明書表示システムにおける処理手順（身分証明書の表示処理）を示すフローチャートである。
【図７】本発明の一実施形態の身分証明書表示システムにおける処理手順（多次元コードによる認証処理）を示すフローチャートである。
【発明を実施するための形態】
【００１７】
以下、本発明の身分証明書表示システム、携帯端末、サーバ、端末側身分証明書表示プログラム、サーバ側身分証明書表示プログラム、及び身分証明書表示方法の好ましい実施形態について、図面を参照しつつ説明する。図１は、本実施形態の身分証明書表示システムの構成を示すブロック図である。図２〜図５は、それぞれ同システムにより表示し得る個人認証画面、身分証明書、ＱＲコードの変化、他の身分証明書を示す図である。
【００１８】
本実施形態の身分証明書表示システムは、図１に示すように、携帯端末１０とサーバ２０を備えている。また、本実施形態の身分証明書表示システムにおいて、携帯端末１０に表示された多次元コードを読み取るために、多次元コードリーダ３０などを用いることができる。多次元コードリーダ３０として、他の携帯端末を用いてもよい。
【００１９】
携帯端末１０は、通信機能を備えた携帯型の情報処理装置であり、インターネットなどの通信回線を介して、サーバ２０に接続する。以下において、携帯端末１０とサーバ２０の情報のやり取りは、通信回線を介して行われる。
この携帯端末１０としては、スマートフォンや携帯電話、iPad（登録商標）、iWatch（登録商標）、ウェアラブルＰＣ等を用いることができる。
【００２０】
携帯端末１０は、端末側身分証明書表示プログラム記憶部１１、個人認証画面表示部１２、身分情報取得部１３、多次元コード取得部１４、及び身分証明書表示部１５を有している。
【００２１】
端末側身分証明書表示プログラム記憶部１１は、端末側の身分証明書表示プログラムを記憶する。この端末側の身分証明書表示プログラムを実行することによって、携帯端末１０内のメモリ及びＣＰＵによって、携帯端末１０内に、個人認証画面表示部１２、身分情報取得部１３、多次元コード取得部１４、及び身分証明書表示部１５等を構成することができる。携帯端末１０がスマートフォンの場合、端末側の身分証明書表示プログラムは、アプリとして提供することができる。
【００２２】
個人認証画面表示部１２は、ユーザの操作によって、個人識別情報を入力させるための個人認証画面を表示する。個人識別情報としては、所定の識別番号（ＩＤ）とパスワードなどを用いることができる。個人認証画面としては、例えば図２に示すような画面を用いることができる。この個人認証画面（使用開始認証画面）では、社員番号とパスワードを入力して、スタートボタンを押すことによって、入力された社員番号とパスワードが身分情報取得部１３によりサーバ２０へ送信される。
【００２３】
個人認証画面表示部１２による個人認証画面の表示は、身分証明書表示プログラムを実行後、最初に行うことができる。入力された個人識別情報を携帯端末１０のメモリに記憶させ、以後の身分証明書表示プログラムの実行では、個人認証画面表示部１２による個人認証画面の表示を省略することもできる。
【００２４】
身分情報取得部１３は、個人識別情報をサーバ２０へ送信し、サーバ２０から個人識別情報に対応する身分情報を取得する。この身分情報としては、例えば氏名、所属する組織名、組織の住所等とすることができる。また、この身分情報に、個人識別情報に対応するその他の各種情報、例えば勤怠履歴情報や作業管理情報などを含めることもできる。
【００２５】
多次元コード取得部１４は、サーバ２０から個人識別情報に対応する多次元コード情報を取得する。多次元コード取得部１４は、一定のタイミング毎にサーバ２０から個人識別情報に対応する多次元コード情報を取得して、身分証明書表示部１５により、身分証明書における多次元コードを、多次元コード情報にもとづき表示させる。この多次元コード情報には、個人識別情報（例えばＩＤ）を含めることが好ましい。
なお、多次元コード取得部１４の機能を、身分情報取得部１３又は身分証明書表示部１５の機能に含めて、多次元コード取得部１４を省略することもできる。
【００２６】
多次元コードとしては、例えば、二次元コードであるＱＲコード、バーコード、データマトリックス、ドットコード等を用いることができ、ＱＲコードを好適に用いることができる。
上記の一定のタイミングとしては、例えば１秒、５秒、１０秒、１分、数分等の定期的とすることができ、また随時とすることもできる。
【００２７】
身分証明書表示部１５は、身分情報、及び多次元コード情報にもとづく多次元コードを含む身分証明書を携帯端末１０のディスプレイ上に表示する。この身分証明書は、例えば図３に示すようなものとすることができる。
この身分証明書において、身分情報として、ユーザの氏名、写真、所属する組織、組織の住所等が表示されている。また、多次元コードとして、ＱＲコードが表示されている。
【００２８】
この身分証明書では、ＱＲコードは、一定のタイミング毎に変更表示される。例えば、図４に示すように、ＱＲコードの表示を刻々と変化させることができる。したがって、仮にこの身分証明書をコピーして不正に使用しようとしても、ＱＲコードの認証時にＱＲコードが一致せず、認証を失敗させることができる。
本実施形態では、例えば社員が出勤して会社に入場する際に、このＱＲコードを読み取り、本人のものであることを認証することによって、身分証明書のセキュリティ性を向上させることが可能となっている。
【００２９】
また、身分情報には、様々な身分証明書のレイアウト種別情報を含めることもできる。
身分証明書表示部１５は、このレイアウト種別情報にもとづいて、携帯端末１０内におけるレイアウト記憶部（図示しない）にレイアウト種別情報毎に記憶されているレイアウトを選択し、例えば図５に示すような、様々な異なるレイアウトの身分証明書を表示することができる。なお、レイアウト記憶部をサーバ２０に備えて、身分情報にレイアウト自体を含めて、サーバ２０から携帯端末１０に送信するようにすることもできる。
【００３０】
サーバ２０は、インターネットなどの通信回線を介して、携帯端末１０と接続することができる情報処理装置である。なお、サーバ２０と携帯端末１０との情報は、暗号化した上で送受信することが好ましい。
サーバ２０は、サーバ側身分証明書表示プログラム記憶部２１、個人認証処理部２２、身分情報送信部２３、多次元コード生成部２４、及びコード認証処理部２５を有している。
【００３１】
サーバ側身分証明書表示プログラム記憶部２１は、サーバ側の身分証明書表示プログラムを記憶する。このサーバ側の身分証明書表示プログラムを実行することによって、サーバ２０内のメモリ及びＣＰＵによって、サーバ２０内に、個人認証処理部２２、身分情報送信部２３、多次元コード生成部２４、及びコード認証処理部２５等を構成することができる。
【００３２】
個人認証処理部２２は、携帯端末１０から送信されてきた個人識別情報にもとづき認証処理を行う。このとき、個人認証処理部２２は、サーバ２０における個人情報記憶部（図示していない）において、個人識別情報が記憶されているか否かを確認し、記憶されている場合に認証成功と判定し、記憶されていない場合に認証失敗と判定する。
【００３３】
また、個人認証処理部２２に、上記の個人識別情報にもとづいて、一定のタイミング毎に認証処理を行わせ、認証結果が認証失敗である場合、認証結果を携帯端末１０へ送信させて、携帯端末１０における身分証明書表示部１５により、身分証明書の表示を停止させるようにすることも好ましい。
このようにすれば、例えばユーザが組織を退職すると同時に、携帯端末１０における身分証明書を表示できないようにすることが可能となる。
【００３４】
身分情報送信部２３は、個人認証処理部２２による認証結果が認証成功である場合、個人識別情報に対応する身分情報を携帯端末１０に送信する。
また、身分情報送信部２３は、個人認証処理部２２による認証結果が認証失敗である場合には、認証失敗であることを示す情報を携帯端末１０に送信することができる。
【００３５】
このとき、身分情報送信部２３は、サーバ２０における個人情報記憶部及び組織情報記憶部（図示していない）から、個人識別情報に対応する身分情報（個人情報、及び組織情報）を取得して、携帯端末１０に送信することができる。
また、サーバ２０にレイアウト情報記憶部（図示していない）を備えて、組織情報に対応するレイアウト情報を身分情報送信部２３が取得して、携帯端末１０に送信するようにすることもできる。
【００３６】
多次元コード生成部２４は、個人識別情報に対応する多次元コード情報を一定のタイミング毎に生成して、携帯端末１０に送信する。多次元コードの生成処理は、既存の各種方法により行うことができる。
また、多次元コード生成部２４は、多次元コード情報を生成するたびに、サーバ２０の多次元コード記憶部（図示しない）に、個人識別情報に対応させて記憶させて、更新させることができる。
【００３７】
コード認証処理部２５は、携帯端末１０に表示された多次元コード情報を読み取って送信されてきた当該多次元コード情報にもとづいて、多次元コードの認証処理を行い、認証結果を携帯端末１０へ送信する。
このコード認証処理部２５による多次元コードの認証処理は、送信されてきた多次元コード情報が、個人識別情報毎に、多次元コード生成部２４により生成された多次元コード情報に一致するか否かにもとづき行われる。
【００３８】
具体的には、送信されてきた多次元コード情報が、多次元コード記憶部に個人識別情報に対応付けて記憶されている多次元コード情報と一致するか否かにもとづき行うことができる。
このとき、多次元コード記憶部に個人識別情報に対応付けて記憶されている多次元コード情報としては、更新された最新のものが用いられる。
【００３９】
本実施形態の身分証明書表示システムでは、身分証明書に表示される多次元コードを、例えば１０秒毎に刻々と変化させることができる。このため、紙などにＱＲコードが印刷された従来の身分証明書と比較して、認証のセキュリティ性を大きく向上させることが可能になっている。
【００４０】
多次元コードリーダ３０としては、例えばＱＲコードリーダなどを用いることができる。ＱＲコードリーダは、携帯端末１０に表示されたＱＲコードを読み取って、インターネットなどの通信回線を介して、ＱＲコード情報をサーバ２０へ送信する。
多次元コードリーダ３０による多次元コード情報のサーバ２０への送信は、多次元コードリーダ３０に接続された情報処理装置によって行うこともできる。
【００４１】
次に、図６に示すフローチャートを参照して、本実施形態の身分証明書表示システムにおける処理手順（身分証明書の表示処理）について説明する。
まず、携帯端末１０が、端末側身分証明書表示プログラム記憶部１１に記憶された身分証明書表示プログラムを起動する（ステップ１０）。
これにより、携帯端末１０の個人認証画面表示部１２により個人認証画面を表示させることができる（ステップ１１）。
【００４２】
ユーザの操作により個人認証画面に個人識別情報が入力されると、携帯端末１０の身分情報取得部１３が、入力された個人識別情報をサーバ２０へ送信する（ステップ１２）。
サーバ２０の個人認証処理部２２は、送信されてきた個人識別情報にもとづいて、個人認証処理を行い、認証結果を携帯端末１０へ送信する（ステップ１３）。
【００４３】
個人認証処理部２２は、認証成功の場合（ステップ１４のＹｅｓ）、個人識別情報に対応する身分情報を携帯端末１０へ送信する（ステップ１５）。なお、個人認証処理部２２は、認証失敗の場合は、認証失敗であることを示す情報を携帯端末１０へ送信することができる。
また、多次元コード生成部２４は、個人認証処理部２２による認証結果が認証成功の場合、個人識別情報に対応する多次元コード情報を生成して、これを携帯端末１０へ送信する。
【００４４】
携帯端末１０の身分情報取得部１３は、サーバ２０から認証失敗であることを示す情報が送信されてきた場合（ステップ１６のＮｏ）、認証失敗であることを携帯端末１０において出力したり、また個人認証画面表示部１２により個人認証画面を表示させることなどを行うことができる。
【００４５】
一方、サーバ２０における認証が成功した場合（ステップ１６のＹｅｓ）、携帯端末１０の身分情報取得部１３は、サーバ２０から身分情報を取得し、携帯端末１０の多次元コード取得部１４は、サーバ２０から多次元コード情報を取得する（ステップ１７）。
そして、携帯端末１０の身分証明書表示部１５は、携帯端末１０のディスプレイなどに、身分情報と、刻々と変化する多次元コードが表示された身分証明書を表示する（ステップ１８）。
【００４６】
また、サーバ２０における認証が成功した場合、多次元コード生成部２４は、一定のタイミングで、多次元コード情報を再度生成して、これを携帯端末１０へ送信する（ステップ１９）。
携帯端末１０の多次元コード取得部１４は、サーバ２０から多次元コード情報を再度取得し、携帯端末１０の身分証明書表示部１５は、再度取得された多次元コード情報にもとづき身分証明書における多次元コードを更新して表示する（ステップ２０）。
【００４７】
次に、図７に示すフローチャートを参照して、本実施形態の身分証明書表示システムにおける処理手順（多次元コードによる認証処理）について説明する。
まず、携帯端末１０の身分証明書表示部１５が、身分証明書における多次元コードを、再度取得した多次元コード情報にもとづき多次元コードを更新して表示する（ステップ３０）。
【００４８】
次に、多次元コードリーダ３０は、携帯端末１０に表示された多次元コードから多次元コード情報を読み取って、これをサーバ２０へ送信する（ステップ３１）。
サーバ２０のコード認証処理部２５は、送信されたきた多次元コード情報が、当該個人識別情報に対応するものとしてサーバ２０に個人識別情報毎に記憶されている多次元コードと同一であるか否かを判定して、必要に応じて、認証結果を携帯端末１０へ送信することができる（ステップ３２）。
【００４９】
このとき、認証結果を多次元コードリーダ３０にも送信して、多次元コードリーダ３０において認証結果を出力することもできる。また、例えば多次元コードリーダ３０が開閉型の入場ゲートに備えられている場合には、認証結果にもとづいて、ゲートの開閉処理を行うようにすることもできる（ステップ３３）。
また、携帯端末１０の身分証明書表示部１５などによって、コード認証が成功したことを携帯端末１０のディスプレイに表示させることもできる（ステップ３４）。
【００５０】
以上のように、本実施形態の身分証明書表示システム、携帯端末、サーバ、端末側身分証明書表示プログラム、サーバ側身分証明書表示プログラム、及び身分証明書表示方法によれば、身分証明書に多次元コードを刻々と変化させて表示させることができ、このコードの認証処理を行うことができるため、他人が成りすまして使用することを防止することが可能である。
【００５１】
上記実施形態の身分証明書表示システムは、本発明の身分証明書表示プログラムに制御されたコンピュータを用いて実現することができる。コンピュータのＣＰＵは、身分証明書表示プログラムにもとづいてコンピュータの各構成要素に指令を送り、身分証明書表示システムにおける各処理装置（携帯端末１０、サーバ２０）の動作に必要となる所定の処理、例えば、個人認証処理、多次元コードの生成処理、身分証明書の表示処理、多次元コードの更新処理等を行わせる。このように、本発明の身分証明書表示システムにおける各処理、動作は、プログラムとコンピュータとが協働した具体的手段により実現できるものである。
【００５２】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ、磁気ディスク、光ディスク、その他任意のコンピュータで読取り可能な任意の記録手段により構成できる。
【００５３】
以上説明したように、本発明の実施形態に係る身分証明書表示システム、携帯端末、サーバ、端末側身分証明書表示プログラム、サーバ側身分証明書表示プログラム、及び身分証明書表示方法によれば、他人が成りすまして使用することを防止することが可能である。
【００５４】
本発明は、以上の実施形態に限定されるものではなく、本発明の範囲内において、種々の変更実施が可能であることは言うまでもない。
例えば、身分証明書において、多次元コードとして、ＱＲコード以外の他のコードを表示させるなど適宜変更することが可能である。
【産業上の利用可能性】
【００５５】
本発明は、社員証、免許証、マイナンバーカード、電子パスカード等に好適に利用することが可能である。
【符号の説明】
【００５６】
１０  携帯端末
１１  端末側身分証明書表示プログラム記憶部
１２  個人認証画面表示部
１３  身分情報取得部
１４  多次元コード取得部
１５  身分証明書表示部
２０  サーバ
２１  サーバ側身分証明書表示プログラム記憶部
２２  個人認証処理部
２３  身分情報送信部
２４  多次元コード生成部
２５  コード認証処理部
３０  多次元コードリーダ
【図１】
2020013384.tif 000003
【図２】
2020013384.tif 000004
【図３】
2020013384.tif 000005
【図４】
2020013384.tif 000006
【図５】
2020013384.tif 000007
【図６】
2020013384.tif 000008
【図７】
2020013384.tif 000009